(57)【要約】      （修正有）【課題】削り取るまたは押し動かす形で除雪が行われ、雪を一回一回、掘り起こした後に取り除く必要がない雪かき器を提供する。【解決手段】雪かき器は、雪かき器本体１０と、接続部２０と、グリップ３０と、二つの支え部４０とを含み、雪かき器本体には凹面と凸面１３がある雪かき溝が設けられ、雪かき溝に凸面と異なる側に開口１４が形成され、凹面の上縁には開口より突き出した結合部１５が設けられ、凸面中央には接続部が設けられ、また結合部と接続部にそれぞれ第一継ぎ孔と第二継ぎ孔２１が設けられ、グリップには接続端３１と握り部３２があり、除雪する際に押し動かすか削り取るかの需要によって、接続端で第一継ぎ孔または第二継ぎ孔を選択して挿し込んで固設され、固設が完成した後、グリップと雪かき器本体の両側間でそれぞれ取り外せる支え部が結合される。【選択図】図２
0003214878.tif 000002
【実用新案登録請求の範囲】
【請求項１】
雪かき器は雪かき器本体と、接続部と、グリップと、二つの支え部とを含み、
雪かき器本体には凹面と凸面がある雪かき溝が設けられ、雪かき溝には凸面と異なる側に開口が形成され、凹面の上縁には上述の開口より突き出した結合部が設けられ、凸面中央には接続部が設けられ、また該結合部と接続部にそれぞれ第一継ぎ孔と第二継ぎ孔が設けられ、
グリップには接続端と握り部があり、使用者は除雪する際に押し動かすかまたは削り取るかの需要によって、接続端で第一継ぎ孔または第二継ぎ孔を選択して挿し込んで固設し、グリップと雪かき器本体の固設が完成された後、グリップと雪かき器本体の両側間でそれぞれ取り外せる支え部が結合され、二つの支え部を利用して補強することで雪かき器本体とグリップがより大きい押す力と引っ張る力に耐えられることを特徴とする雪かき器。
【請求項２】
上記結合部は側端より凹面へと円錐状に拡大されることを特徴とする請求項１の雪かき器。
【請求項３】
上記結合部と雪かき器本体は一体成型であることを特徴とする請求項１の雪かき器。
【請求項４】
上記接続部は製造後に雪かき器本体の凸面に締め付けられることを特徴とする請求項１の雪かき器。
【請求項５】
上記支え部の一端はボルトとナットの組み合わせにより雪かき器本体に結合され、もう一端はクイックリリースでグリップとの固設が完成されることを特徴とする請求項１の雪かき器。
【請求項６】
上記ナットは手捻りナットであることを特徴とする請求項５の雪かき器。
【請求項７】
上記凹面に多数のリブが分布していることを特徴とする請求項１の雪かき器。
【考案の詳細な説明】
【技術分野】
【０００１】
本考案は雪かき器に関し、特に削り取りと押し動かす機能を兼ねた雪かき器の構造に関する。
【背景技術】
【０００２】
緯度が高い地域は気温が低く、湿度も十分なため、雪が降るという自然現象がよく起きる。雪が地面に落ち、地面で積雪となり、該積雪の深さが深すぎると人と車両の通行の妨げになるため、雪かきはこれら地域の住民にとって必要不可欠の作業である。
【０００３】
雪かきする時は主に体を支点として、雪かきスコップと合わせて一回づつ雪を掘り起こすことになる。該方法によれば実に人体の体力にとってとても負担になる上、取り除くスピードが遅いという問題もある。それに該雪かきスコップで掘り起こした雪を目的地に運ぶ場合、運搬用の手押し車を準備しなければならないため、使用上において不便かつ面倒である。
【０００４】
従って、本考案者は従来の技術における欠点を改善すべく、創作の意思を起こし、長年の経験により設計し、多方面に追究しながら試作品をつくり、また多数回にわたる修正改良の結果、本考案を得た。
【考案の概要】
【考案が解決しようとする課題】
【０００５】
本考案が解決しようとする課題は従来の雪かきスコップで雪かきする際は時間と力が掛かる上、直接に雪かきスコップで雪をほかの場所に運べないといった現在技術における上述の欠点を解決し、雪かき器を提供する。
【課題を解決するための手段】
【０００６】
本考案の雪かき器は雪かき器本体と、接続部と、グリップと、二つの支え部とを含む。そして、雪かき器本体には凹面と凸面がある雪かき溝が設けられ、雪かき溝には凸面と異なる側に開口が形成され、凹面の上縁には上述の開口より突き出した結合部が設けられ、凸面中央には接続部が設けられ、また該結合部と接続部にそれぞれ第一継ぎ孔と第二継ぎ孔が設けられる。グリップには接続端と握り部があり、使用者が除雪する際に押し動かすか削り取るかの需要によって、接続端で第一継ぎ孔または第二継ぎ孔を選択して挿し込んで固設される。グリップと雪かき器本体の固設が完成された後、グリップと雪かき器本体の両側間でそれぞれ取り外せる支え部が結合され、二つの支え部を利用して補強することで雪かき器本体とグリップがより大きいな押す力と引っ張る力に耐えられる。これによって、雪かき器が構成される。
【考案の効果】
【０００７】
（一）本考案の雪かき器によれば、削り取るまたは押し動かす形で除雪が行われ、雪を一回一回で掘り起こした後に取り除く必要がないため、使用上においてより時短が可能であり、省力的である。
【０００８】
（二）本考案の雪かき器は、積雪を削り取るまたは押し動かす時は長距離に押し進む機能を兼ねるため、該雪かき器は手押し車に合わせる必要がなく、使用上においてより簡単で、便利である。
【０００９】
（三）本考案の雪かき器は、多用途であるため、単一機能の除雪工具と比べると、使用コストが低く、保管上において省スペースであるという利点がある。
【図面の簡単な説明】
【００１０】
【図１】図１は、本考案に係る雪かき器を示す実施状態の立体組立図である。
【図２】図２は、本考案に係る雪かき器を示す実施状態の立体分解図である。
【図３】図３は、本考案に係る雪かき器を示す実施状態の組立平面図である。
【図４】図４は、本考案に係る雪かき器を示す実施状態の使用状態図である。
【図５】図５は、本考案に係る雪かき器を示す別の実施状態の立体組立図である。
【図６】図６は、本考案に係る雪かき器を示す別の実施状態の立体分解図である。
【図７】図７は、本考案に係る雪かき器を示す別の実施状態の組立平面図である。
【図８】図８は、本考案に係る雪かき器を示す別の実施状態の使用状態図である。
【考案を実施するための形態】
【００１１】
まず、図１〜図３と図５〜図７を参照されたい。本考案の雪かき器は、雪かき器本体１０と、接続部２０と、グリップ３０と、二つの支え部４０とを含む。そして、雪かき器本体１０には凹面１２と凸面１３がある雪かき溝１１が設けられ、雪かき溝１１には凸面１３と異なる側に開口１４が形成され、凹面１２の上縁には上述の開口１４より突き出した結合部１５が設けられ、凸面１３中央には接続部２０が設けられ、また該結合部１５と接続部２０にそれぞれ第一継ぎ孔１６と第二継ぎ孔２１が設けられる。グリップ３０には接続端３１と握り部３２があり、使用者が除雪する際に押し動かすか削り取るかの目的によって、接続端３１で第一継ぎ孔１６または第二継ぎ孔２１を選択して挿し込んで固設される。グリップ３０と雪かき器本体１０の固設が完成された後、グリップ３０と雪かき器本体１０の両側間でそれぞれ取り外せる支え部４０が結合され、二つの支え部４０を利用して補強することで雪かき器本体１０とグリップ３０がより大きい押す力と引っ張る力に耐えられる。
【００１２】
本考案は雪かき器を提供し、そして、結合部１５は側端より凹面１２へと円錐状に拡大される。
【００１３】
本考案は雪かき器を提供し、そして、結合部１５と雪かき器本体１０は一体成型である。  
【００１４】
本考案は雪かき器を提供し、そして、接続部２０は製造後にネジの締め付けにより雪かき器本体１０の凸面１３と結合される。
【００１５】
本考案は雪かき器を提供し、そして、支え部４０の一端はボルト４１とナット４２の組み合わせにより雪かき器本体１０に結合され、もう一端はクイックリリース４３でグリップ３０との固設が完成され、及び上述のナット４２は手捻りナットである。
【００１６】
本考案は雪かき器を提供し、そして、凹面１２に多数のリブが分布している。
【００１７】
本考案は雪かき器を提供し、そして、グリップ３０の接続端３１は第一継ぎ孔１６または第二継ぎ孔２１を選択して挿し込んだ後、ネジで穿設し、締め付けられる。
【００１８】
実際に使用する際、もし地面の積雪を移動したい場合、接続部２０にある第二継ぎ孔２１に、グリップ３０の接続端３１が挿し込んで固設する（同時に図１から図３を参照されたい）。雪かき溝１１の開口１４が前向くようになり、それに後方にいる人が押すと、積雪を道路の両側へ移動させることができる（同時に図４を参照されたい）。この方法によれば一回づつ積雪を掘り起こす必要がなく、長距離の運搬においても手押し車と組み合わせる必要がないため、使用上は時短が可能であり、省力的であり、そして便利である。また、現場の使用状況に制限され、使用者は押し動かす方法で除雪できない場合、グリップ３０の接続端３１を結合部１５の第一継ぎ孔１６（同時に図５から図７を参照されたい）に付け替えると、雪かき溝１１の開口１４が後ろ向くようになり、人がグリップ３０を後ろに引っ張ると、積雪を道路の両側に削り取れる（同時に図８を参照されたい）。
【００１９】
上述の雪かき器は以下のような利点がある。（一）削り取るまたは押し動かす形で除雪が行われ、雪を一回づつ掘り起こした後に取り除く必要がないため、使用上においてより時短が可能であり、省力的である。（二）その雪かき器は積雪を削り取るまたは押し動かす時は長距離に押し進む機能を兼ねるため、該雪かき器は手押し車を合わせる必要がなく、使用上においてより簡単で、便利である。（三）その雪かき器は多用途であるため、単一機能の除雪工具と比べると、使用コストが低く、保管上においてスペースを節約するという利点がある。
【００２０】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２１】
１０        雪かき器本体
１１        雪かき溝
１２        凹面
１３        凸面
１４        開口
１５        結合部
１６        第一継ぎ孔
２０        接続部
２１        第二継ぎ孔
３０        グリップ
３１        接続端
３２        握り部
４０        支え部
４１        ボルト
４２        ナット
４３        クイックリリース
【図１】
0003214878.tif 000003
【図２】
0003214878.tif 000004
【図３】
0003214878.tif 000005
【図４】
0003214878.tif 000006
【図５】
0003214878.tif 000007
【図６】
0003214878.tif 000008
【図７】
0003214878.tif 000009
【図８】
0003214878.tif 000010